(57)【要約】【課題】運転席周りのフロアと、運転席後方の苗補給用ステップを有する機体カバーを機体フレーム上に載置した乗用型田植機において、該乗用型田植機のオペレーターや補助作業者が、前記苗補給用ステップを踏み台にして植付部の苗載台に苗補給等を行う際の安全性と作業性を向上させる。【解決手段】乗用型田植機のオペレーターや補助作業者が、苗補給用ステップから足を踏み外すことを防止する防護体を、前記苗補給用ステップと植付部との間の空間部に横設して苗補給用ステップの左右全幅に亘って防護すると共に、前記防護体の上部に装具を高さ調節可能に装着できるように構成した。【選択図】　　　図３
2004065027.tif 000002
【特許請求の範囲】
【請求項１】
運転席後方の苗補給用ステップを有する機体カバーを機体フレーム上に載置し、該機体フレームの後方にリンク機構を介して植付部を昇降自在に連結した乗用型田植機において、前記苗補給用ステップと植付部との間の空間部に、作業者が苗補給用ステップから足を踏み外すことを防止する防護体を機体フレームに取付けて横設すると共に、前記防護体に装具を装着するための取付部を設けたことを特徴とする乗用型田植機。
【請求項２】
防護体の上部に取付部を設けたことを特徴とする請求項１記載の乗用型田植機。
【請求項３】
高さ調節部材を介して装具が装着できるようにしたことを特徴とする請求項１、または請求項２記載の乗用型田植機。
【発明の詳細な説明】
【０００１】
【発明の属する技術分野】
本発明は、乗用型田植機の機体後部に設けられている苗補給用ステップからの作業者の転落を防止する防護体に関するものである。
【０００２】
【従来の技術】
従来、乗用型田植機の運転席周りのフロアと、該フロアより一段高くした運転席後方の苗補給用ステップを一体的に形成した機体カバーを機体フレーム上に載置し、乗用型田植機のオペレーターや補助作業者は、前記苗補給用ステップを踏み台にして植付部の苗載台に苗補給等を行っていた。
しかし、８条植え以上の多条乗用型田植機においては、該乗用型田植機の運転者や補助作業者が、前記苗補給用ステップを踏み台にして左右両端の条に苗補給する際に無理な作業姿勢を強いられるので、例えば特開平１１−１８５２０号公報に開示されているように、前記苗補給用ステップの両側に延長（補助）ステップを追加すると共に、該延長ステップと苗補給用ステップから作業者が足を踏み外さないようにするために、左右の延長ステップの外側周囲に背の低い平面視略門型のガイドフレームを一体的に固設し、そのガイドフレームの中央部より下方に垂設した支持フレームを機体カバーに固定するように構成したものが知られている。
【０００３】
【発明が解決しようとする課題】
ところが、上記従来のものは、ガイドフレームを門型状に形成してあり、左右の延長ステップの側部から作業者が足を踏み外さないような構成となっているが、作業者が延長ステップ上を前後に移動する際は左右のガイドフレームに足を引っ掛けてしまうこともあり不安全であった。
また、前記ガイドフレームに手摺り等の装具を取付けるための取付部を設けた場合は、前記苗補給用ステップの有効面積が狭くなって作業者の苗補給用ステップ上の移動がしづらくなり、苗補給作業の作業性が低下する問題があった。
【０００４】
【課題を解決するための手段】
本発明は、上記課題を解決することを目的として創案したものであって、運転席後方の苗補給用ステップを有する機体カバーを機体フレーム上に載置し、該機体フレームの後方にリンク機構を介して植付部を昇降自在に連結した乗用型田植機において、前記苗補給用ステップと植付部との間の空間部に、作業者が苗補給用ステップから足を踏み外すことを防止する防護体を機体フレームに取付けて横設すると共に、前記防護体に装具を装着するための取付部を設けたことを第１の特徴としている。
【０００５】
そして、防護体の上部に取付部を設けたことを第２の特徴としている。
【０００６】
そして、高さ調節部材を介して装具が装着できるようにしたことを第３の特徴としている。
【０００７】
【発明の実施の形態】
本発明の一実施形態を図面に基づいて説明する。図１及び図２に示すように、乗用型田植機１は、前輪２及び後輪３に支持された機体フレーム４を有しており、該機体フレーム４上には前部のボンネット５内にエンジン（不図示）を搭載すると共に、ボンネット５の後方には、ステアリングホイール６及び運転席７を配設してある。
そして、前記機体フレーム４の後方には、リンク機構８を介して植付部９を昇降自在に連結しているが、これらの基本的な構成は何れも従来通りであり詳細な説明を省略する。
尚、前記乗用型田植機１は８条植えの多条乗用型田植機であって、植付部９の左右両側２条分を折り畳んで格納できるようになっている。
【０００８】
また、前記運転席７を支持する機体カバー１０は、オペレーターの足が置かれる運転席７周りの平坦なフロア１０ａと、該フロア１０ａより一段高くした運転席７後方の苗補給用ステップ１０ｂとを、中空ブロー成形等で一体的に形成したもので機体フレーム４上に着脱可能に載設してある。
更に、前記機体カバー１０の左右両側には、平坦なフロア１０ａと苗補給用乗降ステップ１０ｂを左右外側方に拡張すると共に、後輪３のフェンダも兼ねた補助ステップ１１Ｌ，１１Ｒを設けている。
尚、通常は、前記機体カバー１０に形成する運転席７後方の苗補給用ステップ１０ｂと、該苗補給用ステップ１０ｂの左右外側方に拡張した補助ステップ１１Ｌ，１１Ｒの苗補給用ステップとして使用する部分を苗補給用ステップＳと総称している。
【０００９】
更に詳しくは、図３に示すように、前記機体フレーム４の後端部には、該機体フレーム４の後端部に連結すると共に後輪３の略車軸上に横設する支持ステー１２が設けてあり、該支持ステー１２の左右両端には、前記補助ステップ１１Ｌ，１１Ｒの後側と詳細は後述する防護体１４をボルト１５，１５・・で共締め固定する一方、該補助ステップ１１Ｌ，１１Ｒの前側は、機体フレーム４から延出する平面視で略Ｌ字状のパイプステー１３Ｌ，１３Ｒに取付け固定するように構成してある。
【００１０】
即ち、前記防護体１４は、乗用型田植機１のオペレーターや補助作業者が苗補給用ステップＳを踏み台にして植付部９の苗載台９ａに苗補給等を行う際、前記オペレーターや補助作業者が苗補給用ステップＳから足を踏み外すことを防止するために設けたもので、当該防護体１４は、前記苗補給用ステップＳと植付部９との間で、且つ昇降作動する植付部９と干渉しない苗補給用ステップＳの後方から立設すると共に、前記機体カバー１０を脱着する際においては、該機体カバー１０と防護体１４が干渉しないような位置構成にしてある。
【００１１】
そして、前記防護体１４は、苗補給用ステップＳ後端の左右全幅に亘って横設した丸パイプ１４ａと、該丸パイプ１４ａの下部に固着した固定部材１４ｂ，１４ｂとで構成してあり、丸パイプ１４ａの苗補給用ステップＳのステップ面からの取付け高さが概ね作業者の足首（踝）程度となるように、前記固定部材１４ｂ，１４ｂの寸法（高さ）を調整してある。
【００１２】
上述したように、機体と植付部９の間の空間部を有効利用して防護体１４を立設することによって、苗補給用ステップＳの横幅や機体と植付部９の間を徒に広げることなくステップ面積を最大限に確保できると共に、作業者が苗補給用乗降ステップＳを前後に移動する際は、障害物がないことから安全な移動できるようになり、しかも機体後方の植付部９の苗載台９ａに苗補給等を行う際は、前記防護体１４によって作業者が苗補給用ステップＳの後端部から足を踏み外すことを防止できるので、より安全な作業が行えるようになる。
また、前記機体カバー１０の下方に配設されている装置部品のメンテナンス等を行うために機体カバー１０を取り外す必要がある場合においても、該機体カバー１０と防護体１４が干渉しないような位置構成で、前記苗補給用ステップＳの後方から防護体１４を立設してあり、それによって容易に機体カバー１０単体を取り外せるので作業性が向上する。
【００１３】
そして、前記防護体１４を構成する丸パイプ１４ａの上部には、種々の装具を取付けるための取付部であるパイプ状の取付け座１４ｃ，１４ｃが設けてあり、図３に示すものは、前記取付け座１４ｃ，１４ｃに着脱可能な高さ調節部材１６，１６を介して高さ調節できる手摺り１７を取付けられるように構成してある。前記手摺り１７は、乗用型田植機１に同乗している補助作業者が容易に把持できるので、それによって、特に機体回行時の補助作業者の体勢はバランス良く保たれて安全な植付け作業が行えるようになる。
【００１４】
次に、前記防護体１４に高さ調節部材１６，１６を介して取付けることができる種々の装具について以下図面に基づいて説明する。
【００１５】
先ず、図４に示すものは、前記防護体１４を構成する丸パイプ１４ａと略同寸法の丸パイプ製ステー１８を、防護体１４上に一段高くした状態で取付けたもので、前記苗補給用ステップＳを踏み台にして植付部９の苗載台９ａに苗補給する際、作業者は苗箱及び苗スクレーパーで掬い取った状態にあるマット苗を、前記丸パイプ製ステー１８上に仮置きしながら苗補給できるので作業負荷が軽減できる。
また、前記丸パイプ製ステー１８の取付け高さは、高さ調節部材１６，１６の取付けの有無によって作業者の作業スタイルに応じた所望の調節が行える。
【００１６】
そして、図５に示すものは、上述した丸パイプ製ステー１８を更に延長し、苗補給用ステップＳを囲い込むコの字状の折り曲げ部１９ａ，１９ａを両端に設けて苗補給用ステップＳの全体ガード１９を構成したもので、苗補給用ステップＳ上の作業者は、前記全体ガード１９を苗補給用ステップＳ上のどの位置からでも容易に把持することができるのでより安全な苗補給が行えると共に、機体回行時の補助作業者の体勢をバランス良く保つことができて安全な植付け作業が行えるようになる。
【００１７】
また、図６に示すものは、前記防護体１４に直接日除け２０を取付けて運転席７を被装するようにしたものである。
【００１８】
尚、上述したように防護体１４には、作業内容に応じて種々の装具１７，１８，１９，２０を簡単に取付けることができて便利であり、しかも前記防護体１４は、機体フレーム４の後部で後輪３の略車軸上に横設した支持ステー１２に固定してあることから、前記種々の装具１７，１８，１９，２０を装着することによって機体の前後バランスに悪影響を与えることは殆どない。
そして、前記防護体１４の上部に、上述した種々の装具１７，１８，１９，２０を装着するための取付部１４ｃ，１４ｃを設けてあり、これら装具１７，１８，１９，２０を防護体１４の前後幅内に立設できるので、それによって苗補給用ステップＳの有効なステップ面積が減少することもない。
【００１９】
【発明の効果】
以上説明したように本発明は、運転席後方の苗補給用ステップを有する機体カバーを機体フレーム上に載置し、該機体フレームの後方にリンク機構を介して植付部を昇降自在に連結した乗用型田植機において、前記苗補給用ステップと植付部との間の空間部に、作業者が苗補給用ステップから足を踏み外すことを防止する防護体を機体フレームに取付けて横設すると共に、前記防護体に装具を装着するための取付部を設けたことによって、前記防護体及び装具を機体と植付部の間の空間部を有効利用して立設できるので、苗補給用ステップの横幅や機体と植付部の間を徒に広げることなくステップ面積を最大限に確保できると共に、作業者が苗補給用ステップを前後に移動する際は、障害物がないことから安全な移動できるようになり、しかも機体後方の植付部の苗載台に苗補給等を行う際は、前記防護体によって作業者が苗補給用ステップの後端部から足を踏み外すことを防止できるので、より安全な作業が行えるようになる。
そして、前記機体カバーの下方に配設されている装置部品のメンテナンス等を行うために機体カバーを取り外す必要がある場合においても、該機体カバーと防護体が干渉しないように苗補給用ステップの後方から防護体を横設してあり、それによって容易に機体カバー単体を取り外せるので作業性が向上する。
【００２０】
更に、前記防護体の上部に取付部を設けたことによって、防護体の前後幅内に装具を立設できるので苗補給用ステップの有効なステップ面積が減少することもない。
【００２１】
また、高さ調節部材を介して装具が装着できるようにしたので、前記高さ調節部材の取付けの有無によって、作業者の作業スタイルに応じた所望の装具の取付け高さを調節することができる。
【図面の簡単な説明】
【図１】乗用型田植機の側面図である。
【図２】同上平面図である。
【図３】防護体及び装具の取付け状態を示す斜視図である。
【図４】装具の第２実施例を示す斜視図である。
【図５】装具の第３実施例を示す斜視図である。
【図６】装具の第４実施例を示す斜視図である。
【符号の説明】
１　　　乗用型田植機
４　　　　機体フレーム
７　　　運転席
８　　　リンク機構
９　　　植付部
１０　　機体カバー
１０ｂ　苗補給用ステップ
１４　　防護体
１４ｃ　取付部
１６　　高さ調節部材
１７　　装具（手摺り）
１８　　装具（パイプ製ステー）
１９　　装具（全体ガード）
２０　　装具（日除け）
【図１】
2004065027.tif 000003
【図２】
2004065027.tif 000004
【図３】
2004065027.tif 000005
【図４】
2004065027.tif 000006
【図５】
2004065027.tif 000007
【図６】
2004065027.tif 000008